(57)【要約】【課題】店舗の営業に必要な釣銭準備金を確実に供給できるようにして店員や店長の負担を軽減することができる現金管理装置を提供する。【解決手段】現金管理装置が、現金を投入する現金入金口と、釣銭のための現金を収納する釣銭収納庫と、売上金を収納する現金金庫とを備え、予め釣銭収納庫に収納する釣銭金種毎の保管基準額を設定しておき、現金入金口にレジスタから回収した現金を投入したときに、釣銭収納庫へは釣銭金種別に保管基準額の現金を収納し、現金金庫へは保管基準額を超えた現金を収納して釣銭を循環使用する。【選択図】        図１
2005038062.tif 000002
【特許請求の範囲】
【請求項１】
現金を投入する現金入金口と、釣銭のための現金を収納する釣銭収納庫と、現金を収納する現金金庫とを備え、
前記釣銭収納庫に収納する釣銭金種毎の保管基準額を設定しておき、前記現金入金口に現金を投入したときに、前記釣銭収納庫へは前記釣銭金種別に前記保管基準額の現金を収納し、前記現金金庫へは前記保管基準額を超えた現金を収納することを特徴とする現金管理装置。
【請求項２】
請求項１において、
前記現金入金口に投入された現金の内の釣銭金種を、一旦前記釣銭収納庫に収納し、その後前記釣銭金種毎の保管基準額を超えた現金を前記現金金庫に収納することを特徴とする現金管理装置。
【請求項３】
請求項１または請求項２において、
前記釣銭収納庫として紙幣釣銭収納庫と硬貨釣銭収納庫を設けると共に、前記現金金庫として紙幣金庫と硬貨金庫を設け、紙幣釣銭収納庫と紙幣金庫とを兼用にしたことを特徴とする現金管理装置。
【請求項４】
店舗に設置され、釣銭のための現金を収納する釣銭収納庫と、現金を収納する現金金庫と、売上高を記憶する記憶部とを備えて店舗の現金を管理する現金管理装置と、
センタに設置され、前記現金管理装置の入出金を管理する中央情報処理装置とを備え、
前記中央情報処理装置が、前記現金管理装置から送信される入金情報と出金情報と売上高情報を基に、釣銭金額を算出し、前記店舗の売上高を売上金口座へ振込むと共に釣銭金額を釣銭口座に振込んで釣銭を管理することを特徴とする現金管理システム。
【請求項５】
請求項４において、
前記釣銭収納庫へ現金を補充するときに、前記釣銭口座から補充額を引落し、これを釣銭金種に両替して前記現金管理装置に供給することを特徴とする現金管理システム。
【請求項６】
請求項４または請求項５において、
前記現金管理装置の釣銭収納庫として紙幣釣銭収納庫と硬貨釣銭収納庫を設けると共に、前記現金金庫として紙幣金庫と硬貨金庫を設け、前記現金管理装置から現金を回収するときに、紙幣釣銭収納庫と紙幣金庫とに収納された紙幣と硬貨金庫に収納された硬貨を回収ことを特徴とする現金管理システム。
【発明の詳細な説明】
【０００１】
【発明の属する技術分野】
本発明は、百貨店やスーパーマーケット、コンビニエンスストア等の小売業の店舗に設置され、レジスタに収納された売上金等を管理する現金管理装置およびその現金管理システムに関する。
【０００２】
【従来の技術】
従来の現金管理システムは、店舗の売上金がある程度蓄積すると店舗に設置された貨幣入出金装置にその売上金を入金して収納し、入金された現金の一部をキャッシュカード等の所有者である個人に出金すると共に、その入出金情報を定期的に通信網を介して接続している入出金情報処理装置へ送信し、入出金情報処理装置は個人に出金された現金を精算して店舗の売上金を本部に入金して貨幣入出金装置に入金された売上金の効率的な運用を図っている（例えば、特許文献１参照。）。
【０００３】
【特許文献１】
2005038062.tif 000003
【０００４】
【発明が解決しようとする課題】
しかしながら、上述した従来の技術においては、レジスタの売上金のみを貨幣入出金装置へ入金して管理しているため、店舗の閉店後にレジスタの締めを行うときに売上金に相当する現金を店員が計数して抜き出し、売上金を入金すると共にレジスタに残った現金が開店前等にレジスタに準備された釣銭のための現金（釣銭準備金という。）の額と一致しているか否かを店員が計数する必要があり、店員の負担が増大するという問題がある。
【０００５】
また、売上金を抜き出した後の残金は、一般に金額は一致していても金種毎の枚数は釣銭準備金として準備した現金の金種毎の枚数とは一致しないために、その両替ための金融機関等での小銭への両替作業は店舗の管理者である店長の業務であり、これに加えて店長は釣銭の補充や店舗内の釣銭準備金の管理を行わなければならず、店長に多大な負担を強いることになるという問題がある。
【０００６】
本発明は、上記の問題点を解決するためになされたもので、店舗の営業に必要な釣銭準備金を確実に供給できるようにして店員や店長の負担を軽減することができる現金管理装置を提供することを目的とする。
【０００７】
【課題を解決するための手段】
本発明は、上記課題を解決するために、現金管理装置が、現金を投入する現金入金口と、釣銭のための現金を収納する釣銭収納庫と、現金を収納する現金金庫とを備え、前記釣銭収納庫に収納する釣銭金種毎の保管基準額を設定しておき、前記現金入金口に現金を投入したときに、前記釣銭収納庫へは前記釣銭金種別に前記保管基準額の現金を収納し、前記現金金庫へは前記保管基準額を超えた現金を収納することを特徴とする。
【０００８】
また、現金管理システムが、店舗に設置され、釣銭のための現金を収納する釣銭収納庫と、現金を収納する現金金庫と、売上高を記憶する記憶部とを備えて店舗の現金を管理する現金管理装置と、センタに設置され、前記現金管理装置の入出金を管理する中央情報処理装置とを備え、前記中央情報処理装置が、前記現金管理装置から送信される入金情報と出金情報と売上高情報を基に、釣銭金額を算出し、前記店舗の売上高を売上金口座へ振込むと共に釣銭金額を釣銭口座に振込んで釣銭を管理することを特徴とする。
【０００９】
【発明の実施の形態】
以下に、図面を参照して本発明による現金管理システムの実施の形態について説明する。
図１は実施の形態の現金管理装置を示すブロック図、図２は実施の形態のシステム構成を示す説明図、図３は実施の形態の現金管理装置の外観を示す斜視図である。
【００１０】
図２において、１は現金管理装置であり、百貨店やスーパーマーケット、コンビニエンスストア等の小売業の店舗等に設置され、店舗の出納係やレジスタ２のオペレータ等の店員が操作して店舗の売場に設置されているレジスタ２へ釣銭準備金や補充する釣銭の出金およびレジスタ２から回収された現金の入金等を行って店舗の現金を管理する。
【００１１】
３は店舗に設置された管理端末であり、店舗内に設置された現金管理装置１に接続してこれらを統括する。
また、管理端末３は温度や煙、赤外線等により保安や火災等の状態を監視するための各種の監視センサ４と接続して店舗内の警備体制をも統括し、異常が検出された時に警報を発する。
【００１２】
更に、管理端末３は電話回線や専用回線等の通信回線５によりセンタに接続され、複数の店舗と契約して売上金や釣銭等を管理する統括管理会社のセンタに設置されている中央情報処理装置６および警備情報処理装置７と接続して相互に通信可能に構成されている。
中央情報処理装置６は、契約した各店舗の現金管理装置１から管理端末３、通信回線５を経由して送信される入金情報や出金情報等を格納する企業情報データベース６ａを備えてこれらを管理する一方、店舗の売上金を入金するための口座（売上金口座という。）を管理する金融機関である銀行８と接続すると共に、店舗の現金管理装置１への釣銭の供給や売上金の回収を行う専用車である集配車９を保有する地域管理センタの地域端末１０と接続している。
【００１３】
また、警備情報処理装置７も地域管理センタの地域端末１０と接続しており、管理端末３から警報が発信された時に地域端末１０に通知して警備車や警備員等を派遣する
図１、図３において、１１は現金管理装置１の主制御部であり、現金管理装置１内の各部を制御して各種の処理等を実行する。
【００１４】
１２は記憶部であり、主制御部１１が実行するプログラムや主制御部１１による処理結果等が格納される。
１３は表示部であり、ＬＣＤ等の表示画面を備えており、各種の処理操作の案内および入金処理や出金処理の金種別の金額やその合計金額等が表示される。
１４はカードリーダであり、レジスタ２の現金を入出金する店員や売上げの締めを行う店長および現金管理装置１の現金の集配を行う地域管理センタの集配担当者等がそれぞれ携帯するＩＤカードを受入れ、そのＩＤカード情報を読取る機能を有している。
【００１５】
１５は入力部であり、店員や店長、集配担当者が入金処理や出金処理、締め処理、補充処理、回収処理等を行うことを指示するための操作キー１５ａおよび売上金の金額等を入力するためのテンキー１５ｂ等により構成されている。
１６はジャーナルプリンタ等の伝票印刷部であり、現金管理装置１による入金処理や出金処理の金額（金種別の金額を含む。）等を伝票に印刷して出力する。
【００１６】
２０は現金取扱部としての紙幣取扱部であり、以下に示す構成を備えている。
２１は紙幣入出金口であり、紙幣入出金口２１を開閉するための紙幣シャッタ２１ａが設けられており、店員等が投入した紙幣を受入れる紙幣入金口および店員等へ釣銭準備金等を排出する紙幣出金口として機能する。
２２は現金鑑別部としての紙幣鑑別部であり、紙幣搬送路により搬入された紙幣の真偽、正損、金種等を鑑別して金種毎に計数する。
【００１７】
２３は紙幣一時保留部であり、紙幣入出金口２１に投入され、紙幣鑑別部２２で鑑別、計数された紙幣を集積して一時待機させる。
２４は釣銭収納庫としての紙幣釣銭収納庫であり、釣銭として使用する金種（釣銭金種という。）の紙幣を金種別に収納する金庫であって、その金種毎に保管基準額が設定されている。
【００１８】
２５は現金金庫としての紙幣金庫であり、堅牢な筐体に交換可能な紙幣金庫カセットが装備された金庫であって、店舗の売上金の内の紙幣が金種別に収納される。
３０は現金取扱部としての硬貨取扱部であり、以下に示す構成を備えている。
３１は現金入金口としての硬貨入金口であり、硬貨入金口３１を開閉するための硬貨シャッタ３１ａが設けられており、店員等が投入した硬貨を受入れる。
【００１９】
３２は現金鑑別部としての硬貨鑑別部であり、硬貨搬送路またはリフタ等により搬入された硬貨の真偽、正損、金種等を鑑別して金種毎に計数する。
３３は硬貨リジェクト口であり、硬貨鑑別部３２で偽硬貨等と鑑別された不良硬貨が搬送されて集積され、店員等に返却される。
３４は硬貨一時保留部であり、硬貨入出金口３１に投入され、硬貨鑑別部３２で鑑別、計数された硬貨を金種別に集積して一時待機させる。
【００２０】
３５は釣銭収納庫としての硬貨釣銭収納庫であり、釣銭金種の硬貨を金種別に収納する金庫であって、その金種毎に保管基準額が設定されている。
３６は現金出金口としての硬貨出金口であり、開店前に店員等へ供給する釣銭準備金としての硬貨を排出する。
３７は現金金庫としての硬貨金庫であり、堅牢な筐体に交換可能な硬貨金庫カセットが装備された金庫であって、店舗の売上金の内の硬貨が金種別に収納される。
【００２１】
３８は回収扉であり、紙幣金庫２５や硬貨金庫３７に装着された紙幣金庫カセットや硬貨金庫カセットを集配担当者が回収する場合に電子錠等が開錠されて開錠可能とされ、集配担当者の所持する鍵等で開錠される。
なお、図１に示した実線は、紙幣搬送路や硬貨搬送路等による各部位の機械的な接続状態を示し、破線は主制御部１１と各部との間の電気信号の送受のための電気的な接続状態を示す。
【００２２】
上述した構成の作用について説明する。
本実施の形態の現金管理システムは、統括管理会社のセンタに設置された中央情報処理装置６より運用され、統括管理会社は複数の店舗と契約して売上金回収やその売上金口座への振込、釣銭の供給について管理する一方、警備情報処理装置７により契約した店舗の管理端末３から送信される警報に応じて店舗に対する警備員の派遣等を行い、防犯、防災についても管理する。
【００２３】
統括管理会社は、契約した店舗から釣銭に充当するための預託金を預かっており、これを釣銭口座に入金して管理すると共に、中央情報処理装置６の企業情報データベース６ａにその店舗の預託金を管理するための釣銭台帳を設けている。
また、中央情報処理装置６の企業情報データベース６ａには契約した店舗の売上金を振込むためのその店舗の売上金口座の銀行名や口座番号等を売上金口座情報として格納する口座情報ファイルが設けられている。
【００２４】
更に、本実施の形態では、店舗の店長や店員および集配担当者には事前に契約している企業や店舗等を識別するための企業コード、その店舗を識別するための店舗コードおよびＩＤカードの所持者である店長や店員、集配担当者を識別するための従業員コードと入金や出金、締め、補充等の処理の有資格者であることを識別するためのＩＤカードコード等のＩＤカード情報を記録したＩＤカードが支給されている。
【００２５】
本実施の形態の現金管理システムを利用する店舗は、釣銭のための預託金を統括管理会社に預ける一方、釣銭として使用する釣銭金種（本実施の形態では５千円、２千円、千円の紙幣および５００円、１００円、５０円、１０円、５円、１円の硬貨）を設定し、その店舗の業態や日付、曜日、時間帯および売場の商品構成等を考慮して開店前に各レジスタ２にセットする釣銭準備金の金種毎の枚数を複数の出金パターンにして設定し、これを現金管理装置１の記憶部１２に登録する。
【００２６】
また、その店舗の売上げの規模やレジスタ２の台数、釣銭収納庫への定期的な補充間隔、近隣のイベントの開催等の外部要因による釣銭準備金の一時的な増加等を考慮して釣銭金種毎に紙幣釣銭収納庫２４および硬貨釣銭収納庫３５に標準的に収納するその金種の上限額である保管基準額を設定し、これを記憶部１２に登録する。
【００２７】
そして、店舗に現金管理装置１が設置された時に、紙幣釣銭収納庫２４や硬貨釣銭収納庫３５には統括管理会社が預託金の中から供給した釣銭金種毎の保管基準額に相当する紙幣や硬貨（釣銭引当金という。）充填されており、紙幣金庫２５や硬貨金庫３７は空の状態になっている。
このようにして紙幣釣銭収納庫２４および硬貨釣銭収納庫３５に保管基準額の紙幣や硬貨が充填された現金管理装置１による開店前の釣銭準備金の出金処理の作動について、図４示すフローチャートを用い、Ｓで示すステップに従って説明する。
【００２８】
Ｓ１、開店前に釣銭を準備する店員は、入力部１５の操作キー１５ａから出金処理を選択してその操作キー１５ａを押下する。
Ｓ２、これを検知した現金管理装置１の主制御部１１は、表示部１３にＩＤカードの挿入を促す旨の文言を表示し、店員が支給されているＩＤカードを現金処理装置２のカードリーダ１４に挿入すると、主制御部１１はこれを検知してＩＤカードを受付け、カードリーダ１４によりＩＤカードに記録されているＩＤカード情報を読取る。
【００２９】
Ｓ３、ＩＤカード情報を読取った主制御部１１は、ＩＤカードの正当性を判定し、ＩＤカードが正当である場合は読取ったＩＤカードコードによりその店員が釣銭準備金の出金を許可されている有資格者であることを判定してステップＳ４へ移行する。
ＩＤカードが正当でない、または釣銭準備金出金の有資格者でないと判定した場合は、その旨を表示部１３に表示して出金処理を終了させる。
【００３０】
Ｓ４、ＩＤカードが正当である等を判定した主制御部１１は、表示部１３に記憶部１２に登録されている釣銭準備金の複数の出金パターンや釣銭金種の金種毎の枚数入力欄等を表示した出金内訳入力画面を表示する。
店員は、釣銭準備金の出金パターンの一つを選択するか、またはテンキー１５ｂにより金種毎の出金枚数を入力するかして出金内訳を入力する。
【００３１】
Ｓ５、出金パターンまたは金種毎の枚数入力により出金すべき金種とその枚数を認識した主制御部１１は、その金種に該当する紙幣を紙幣釣銭収納庫２４から指定枚数を計数して繰出し、紙幣入出金口２１へ搬送して集積すると共に、その金種に該当する硬貨を硬貨釣銭収納庫２４から指定枚数を計数して繰出し、硬貨出金口３６へ搬送して集積する。
【００３２】
Ｓ６、紙幣や硬貨（これらをまとめていう場合は現金という。）の集積を終えた主制御部１１は、紙幣入出金口２１の紙幣シャッタ２１ａを開放すると共に表示部１３に現金の集積を終えた旨を表示し、店員は紙幣入出金口２１および硬貨出金口３６に集積された現金を取出す。
Ｓ７、現金の取出しを確認した主制御部１１は、紙幣シャッタ２１ａを閉鎖すると共に出金情報を作成し、これを管理端末３、通信回線５を経由してセンタの中央情報処理装置６へ送信する（中央情報処理装置６の作動は後述する。）。
【００３３】
出金情報は、出金処理が行われた日時、出金処理を実行したことを示す処理コードである出金コード、出金された金種毎の枚数とその合計金額、出金動作のタイムチャートを示す出金ログデータ、現金管理装置１が設置されている建物を示す建物コード、現金管理装置１の現金管理装置号機コードおよびＩＤカードから読取った従業員コードやＩＤカードコードであるＩＤカード出金コード等のＩＤカード情報等により構成される。
【００３４】
Ｓ８、出金情報の送信を終えた主制御部１１は、ＩＤカード情報や出金した金種毎の枚数とその合計金額等の実行した出金処理の内容を記載した伝票を伝票印刷部１６により印刷して発行し、店員はこの伝票を受取る。
その後、店員は取出した現金を担当するレジスタ２へ運び、そのレジスタ２にセットして顧客の来店を待って待機する。
【００３５】
Ｓ９、伝票を発行した主制御部１１は、紙幣釣銭収納庫２４および硬貨釣銭収納庫３５の残量を金種別に確認し、少なくとも一つの金種の残量がニアエンド基準値以下の場合は釣銭収納庫への補充が必要と判定してステップＳ１０へ移行する。全ての金種がニアエンド基準値を超えている場合は出金処理を終了させる。
Ｓ１０、釣銭収納庫への補充が必要と判定した主制御部１１はニアエンド情報を作成し、管理端末３、通信回線５を経由してセンタの中央情報処理装置６へ送信して出金処理を終了させる。
【００３６】
ニアエンド情報は、補充の必要性を判定した日時、釣銭のニアエンドを示す処理コードであるニアエンドコード、現金の金種毎の残枚数、建物コードおよび現金管理装置号機コード等により構成される。
上記の釣銭準備金の出金処理後に営業を開始した店舗において、不測の事態等により営業の途中でレジスタ２の釣銭が不足したときは、その店員は現金管理装置１により現金を出金（途中出金という。）し、不足した釣銭を補給する。
【００３７】
この場合に店員は、上記のステップＳ４において補給する金種の枚数を入力するようにして出金処理を行う。その他の作動は上記出金処理の作動と同様であるのでその説明を省略する。
営業の途中でレジスタ２に収納された売上金が多くなり、レジスタ２の現金が多量になった場合、店員は現金取扱の効率化や防犯のためにレジスタ２の過剰な現金を現金管理装置１へ入金（途中入金という。）する。
【００３８】
また、店舗の閉店後に店員は締め作業を行う。この時レジスタ２からはその日の売上高が出力され、店員はレジスタ２に収納されている現金（売上金と釣銭準備金が混在している。）を取出し、これを現金管理装置１へ持参して入金（締め入金という。）する。
以下に、図５に示すフローチャートを用い、ＳＡで示すステップに従って本実施の形態の現金管理装置１による途中入金および締め入金の入金処理の作動について説明する。
【００３９】
ＳＡ１、入金を行う店員は、入力部１５の操作キー１５ａから入金処理を選択してその操作キー１５ａを押下する。
ＳＡ２、これを検知した現金管理装置１の主制御部１１は、上記出金処理のステップＳ２と同様にしてＩＤカードの挿入を促し、店員がＩＤカードをカードリーダ１４に挿入すると、これを受付けてＩＤカード情報を読取る。
【００４０】
ＳＡ３、ＩＤカード情報を読取った主制御部１１は、上記出金処理のステップＳ３と同様にしてＩＤカードの正当性を判定し、ＩＤカードが正当である場合はＩＤカードコードにより入金を許可されている有資格者であることを判定してステップＳＡ４へ移行する。ＩＤカードが正当でない、または入金の有資格者でないと判定した場合は、その旨を表示部１３に表示して入金処理を終了させる。
【００４１】
ＳＡ４、ＩＤカードが正当である等を判定した主制御部１１は、表示部１３に現金の投入を促す旨の文言を表示すると共に、紙幣入出金口２１の紙幣シャッタ２１ａおよび硬貨入金口３１の硬貨シャッタ３１ａを開放して店員からの現金の投入を受付ける。
店員は、持参した途中入金または締め入金のための現金を紙幣と硬貨に区別して紙幣入出金口２１と硬貨入金口３１へ投入する。
【００４２】
ＳＡ５、現金の投入を検知した主制御部１１は、紙幣シャッタ２１ａおよび硬貨シャッタ３１ａを閉鎖して投入された現金の計数を行う。
すなわち、主制御部１１は、紙幣入出金口２１へ投入された紙幣を紙幣鑑別部２２へ搬送し、その紙幣の真偽、金種等を鑑別して金種毎に計数し、鑑別された紙幣を紙幣一時保留部２３へ搬送して一時保管する。この時偽券等の不良紙幣と鑑別された紙幣は紙幣入出金口２１へ搬送されて店員に返却される。
【００４３】
また、硬貨入出金口３１へ投入された硬貨を硬貨鑑別部３２へ搬送し、その硬貨の真偽、金種等を鑑別して金種毎に計数し、鑑別された硬貨を硬貨一時保留部３４へ搬送して金種別に一時保管する。この時偽硬貨等の不良硬貨と鑑別された硬貨は硬貨リジェクト口３３へ搬送されて店員に返却される。
なお、途中入金のように主に１万円札等の紙幣のみが投入された場合は、主制御部１１は所定の時間経過後に硬貨シャッタ３１ａを閉鎖し、硬貨の計数を省略する。
【００４４】
ＳＡ６、現金の計数を終えた主制御部１１は、表示部１３に金種毎の計数結果とその確認を促す旨の文言を表示した計数結果確認画面を表示する。
店員は、表示された計数結果が正しいと判断した場合は入力部１５の操作キー１５ａによって「ＹＥＳ」を押下する。これを検知した主制御部１１は計数結果が確定されたと認識してステップＳＡ８へ移行する。
【００４５】
店員が表示された計数結果と持参した現金とが一致しないと判断した場合は入力部１５の操作キー１５ａによって「ＮＯ」を押下する。これを検知した主制御部１１はこれを返却要求と認識してステップＳＡ７へ移行する。
ＳＡ７、返却要求を認識した主制御部１１は、紙幣一時保留部２３に一時保管した紙幣を紙幣入出金口２１へ、硬貨一時保留部３４に一時保管した硬貨を硬貨出金口３６へ搬送して投入された現金を店員に返却し、店員の受取りを確認して入金処理を終了する。その後店員は返却された現金を確認して再度入金処理を実行する。
【００４６】
ＳＡ８、計数結果が確定されたことを認識した主制御部１１は、表示部１３に売上高の入力を促す旨の文言およびその入力欄を表示した売上高入力画面を表示して店員に売上高の入力を促し、店員はレジスタ２から出力された売上高を参照して入力部１５のテンキー１５ｂにより売上高を入力する。これにより主制御部１１は売上高を認識し、これを記憶部１２に記憶してステップＳＡ９へ移行する。
【００４７】
なお、途中入金の入金処理においては入力すべき売上高がないので店員は操作キー１５ｂによって「ＮＯ」を押下する。これにより主制御部１１は売上高を「０」と認識し、入力を省略してステップＳＡ９へ移行する。
ＳＡ９、主制御部１１は入力された売上高（途中入金の場合は「０」）により売上高情報を作成すると共に入金情報を作成し、これらを管理端末３、通信回線５を経由してセンタの中央情報処理装置６へ送信する。
【００４８】
入金情報は、入金処理が行われた日時、入金処理を実行したことを示す処理コードである入金コード、入金された金種毎の枚数とその合計金額、入金動作のタイムチャートを示す入金ログデータ、建物コード、現金管理装置号機コードおよびＩＤカード情報等により構成される。
ＳＡ１０、入金情報等の送信を終えた主制御部１１は、ＩＤカード情報や入金された金種毎の枚数とその合計金額等の実行した入金処理の内容を記載した伝票を伝票印刷部１６により印刷して発行し、店員はこの伝票を受取って入金操作を終了する。
【００４９】
ＳＡ１１、伝票を発行した主制御部１１は、一時保留部に一時保留されている現金を釣銭収納庫へ収納する。
すなわち、主制御部１１は、紙幣一時保留部２３に一時保留されている紙幣を紙幣鑑別部２２へ再度搬送し、その紙幣の金種等を鑑別して金種毎に計数し、鑑別した紙幣が釣銭金種以外の紙幣（本実施の形態では１万円札が該当する。）の場合は紙幣金庫２５へ搬送して金種別に収納し、鑑別された紙幣が釣銭金種の場合は紙幣釣銭収納庫２４へ搬送して金種別に収納する。
【００５０】
また、硬貨一時保留部３４に金種別に一時保留されている硬貨を硬貨一時保留部３４からそれぞれの金種の硬貨釣銭収納庫３５へ放出して金種別に収納する。
ＳＡ１２、現金を釣銭収納庫に収納した主制御部１１は、紙幣釣銭収納庫２４および硬貨釣銭収納庫２４の収納量を金種別に確認して記憶部１２に登録されている釣銭金種毎の保管基準額と比較し、保管基準額を超えている金種の紙幣や硬貨、つまり余剰金の紙幣や硬貨をそれぞれ紙幣金庫２５や硬貨金庫３７へ搬送して金種別に収納する。
【００５１】
ＳＡ１３、余剰金の現金金庫への収納を終えた主制御部１１は、紙幣金庫２５および硬貨金庫３７の収納量を確認し、少なくとも一つの金種の収納量がニアフル基準値を超えている場合は現金の回収が必要と判定してステップＳＡ１４へ移行する。全ての金種がニアフル基準値以下の場合は入金処理を終了させる。
ＳＡ１４、現金金庫の現金の回収が必要と判定した主制御部１１はニアフル情報を作成し、管理端末３、通信回線５を経由してセンタの中央情報処理装置６へ送信して入金処理を終了させる。
【００５２】
ニアフル情報は、回収の必要性を判定した日時、現金のニアフルを示す処理コードであるニアフルコード、現金の金種毎の収納枚数、建物コードおよび現金管理装置号機コード等により構成される。
なお、紙幣金庫２５や硬貨金庫３７へ収納する紙幣や硬貨は、それぞれ紙幣金庫２５や硬貨金庫３７に金種を混在させて収納するようにしてもよい。これにより紙幣金庫２５や硬貨金庫３７の構造の簡素化を図ることができると共に紙幣金庫２５や硬貨金庫３７の収納量を増加させることができ、後述する現金の回収の周期を長く設定することができる。
【００５３】
このように、原則として釣銭収納庫にはレジスタ２から回収された釣銭金種の紙幣や硬貨が循環使用されて保管基準額に相当する枚数の紙幣や硬貨が収納され、現金金庫には売上金に相当する紙幣や硬貨が収納され、全てのレジスタ２の締め入金の終了後には現金管理装置１の釣銭収納庫と現金金庫に収納されている現金は、常に当初の釣銭引当金と売上金の総額となる。
【００５４】
ところで、締め入金においてレジスタ２から回収される現金の総額は当初の釣銭準備金とそのレジスタ２の売上金（途中入金、途中出金が行われた場合はその額を増減した額）で構成されるが、釣銭準備金として出金された金種は商品代金を精算する時にさまざまに変化し、閉店後にはその金種別内訳が変ってしまうのが常である。
【００５５】
従って、締め入金の終了後に現金管理装置１の釣銭収納庫に収納されている現金は、原則として上記の保管基準額に相当する枚数の現金であるが、特定の金種、例えば１００円硬貨や１０円硬貨、１円硬貨といった釣銭としてよく使用されるが商品代金として支払われることが少ない金種の場合は、余剰金がでないために釣銭収納庫のその金種は不足した状態で収納されている。
【００５６】
このとき、釣銭収納庫の不足分に相当する金額、つまり釣銭準備金として出金された現金の中で現金金庫に収納された金額は他の金種、例えば１万円札や千円札に加えられて現金金庫に収納されている。
以下に、図６のフローチャートを用い、ＳＢで示すステップに従って本実施の形態の現金管理装置１による締め処理の作動について説明する。
【００５７】
ＳＢ１、全てのレジスタ２の締め入金の入金処理の終了後に店舗の責任者、例えば店長は、入力部１５の操作キー１５ａから締め処理を選択してその操作キー１５ａを押下する。
ＳＢ２、これを検知した現金管理装置１の主制御部１１は、上記出金処理のステップＳ２と同様にしてＩＤカードの挿入を促し、店長がＩＤカードをカードリーダ１４に挿入すると、主制御部１１はこれを受付けてＩＤカード情報を読取る。
【００５８】
ＳＢ３、ＩＤカード情報を読取った主制御部１１は、上記出金処理のステップＳ３と同様にしてＩＤカードの正当性を判定し、ＩＤカードが正当である場合はＩＤカードコードにより締め処理を許可されている有資格者であることを判定してステップＳＢ４へ移行する。ＩＤカードが正当でない、または締め処理の有資格者でないと判定した場合は、その旨を表示部１３に表示して締め処理を終了させる。
【００５９】
ＳＢ４、ＩＤカードが正当である等を判定した主制御部１１は、締め情報を作成し、これを管理端末３、通信回線５を経由してセンタの中央情報処理装置６へ送信する。
締め情報は、締め処理が行われた日時、締め処理を実行したことを示す処理コードである締めコード、締め動作のタイムチャートを示す締めログデータ、建物コード、現金管理装置号機コードおよびＩＤカード情報等により構成される。
【００６０】
締め情報を受信した中央情報処理装置６は、前回の締め処理から今回の締め処理までの間の店舗における現金の移動を集計し、これを現金移動情報として送信元の現金管理装置１へ送信する（後述する図７のステップＳＣ１４）。
ＳＢ５、現金移動情報を受信した現金管理装置１の主制御部１１は、現金移動情報を基に前回の締め処理から今回の締め処理までの間の店舗の売上高と入金された金種毎の枚数や従業員コード別（各レジスタ２に相当する。）の売上高とその金種毎の枚数等を表示部１３に表示し、店長は表示された内容を確認して入力部１５の操作キー１５ａによって「ＹＥＳ」を押下する。
【００６１】
ＳＢ６、これを検知した主制御部１１は、売上高等が確認されたことを認識し、中央情報処理装置６に対して確認通知を送信する。
ＳＢ７、確認通知を送信した主制御部１１は、受信した現金移動情報や締め処理を行った店長のＩＤカード情報等を記載した伝票を伝票印刷部１６により印刷して発行し、店長が伝票を受取ったことを確認して締め処理を終了させる。
【００６２】
上記のようにして現金管理装置１から各種の情報を受取った中央情報処理装置６の業務処理の作動について図７に示すフローチャートを用い、ＳＣで示すステップに従って説明する。
ＳＣ１、中央情報処理装置６は現金管理装置１からの各種の情報の着信を待って待機しており、情報を受信した時にステップＳＣ３へ移行する。情報を受信しない場合はステップＳＣ２へ移行する。
【００６３】
ＳＣ２、中央情報処理装置６はそのタイマー機能により、業務時間の終了を判定し、業務時間中の場合はステップＳＣ１へ戻って上記の待機を継続し、業務時間が終了している場合は業務処理を終了させる。
ＳＣ３、中央情報処理装置６は受信した情報の処理コードが出金コード（出金情報）であるときはステップＳＣ４へ移行する。他の処理コードの場合はステップＳＣ５へ移行する。
【００６４】
ＳＣ４、出金情報を受信した中央情報処理装置６は、その出金情報を建物コード、現金管理装置号機コードで分類して企業情報データベース６ａに格納し、ステップＳＣ１へ戻って情報の着信を待って待機する。
ＳＣ５、中央情報処理装置６は受信した情報の処理コードが入金コード（入金情報）であるときはステップＳＣ６へ移行する。他の処理コードの場合はステップＳＣ７へ移行する。
【００６５】
ＳＣ６、入金情報を受信した中央情報処理装置６は、その入金情報と売上高情報を建物コード、現金管理装置号機コードで分類して企業情報データベース６ａに格納し、ステップＳＣ１へ戻って情報の着信を待って待機する。
ＳＣ７、中央情報処理装置６は受信した情報の処理コードがニアエンドコード（ニアエンド情報）であるときはステップＳＣ８へ移行する。他の処理コードの場合はステップＳＣ１１へ移行する。
【００６６】
ＳＣ８、ニアエンド情報を受信した中央情報処理装置６は、建物コードにより契約した店舗を特定し、その店舗の預託金の範囲内で現金の金種毎の残枚数から補充すべき金種毎の補充枚数を算出し、その合計額である補充額を企業情報データベース６ａの釣銭台帳から引落として釣銭台帳を更新すると共に、釣銭口座を開設している銀行等の金融機関へ出金する金種別の枚数を通知して釣銭口座からその補充額を出金する。
【００６７】
ＳＣ９、補充額を出金した中央情報処理装置６は、ニアエンド情報の建物コードや現金管理装置号機コード、釣銭口座の銀行の銀行コードおよび金種毎の補充枚数等から構成される補充指示を地域管理センタ１０へ送信する。
補充指示を受信した地域端末１０はその内容を表示し、集配担当者は集配車９により銀行コードの銀行から補充枚数の現金を受取って現金管理装置１へ釣銭を補充する（補充の作動は後述する。）。
【００６８】
ＳＣ１０、補充指示を送信した中央情報処理装置６は、受信したニアエンド情報に釣銭台帳を更新した日時とその金種毎の補充枚数等を添付したニアエンド処理情報を建物コード、現金管理装置号機コードを基に企業情報データベース６ａに格納してステップＳＣ１へ戻り、情報の着信を待って待機する。
ＳＣ１１、中央情報処理装置６は受信した情報の処理コードがニアフルコード（ニアフル情報）であるときはステップＳＣ１２へ移行する。他の処理コード、つまり締めコード（締め情報）の場合はステップＳＣ１４へ移行する。
【００６９】
ＳＣ１２、ニアフル情報を受信した中央情報処理装置６は、現金の金種毎の収納枚数から回収すべき金種を判定し、その金種とニアフル情報の建物コードや現金管理装置号機コード等から構成される回収指示を地域管理センタ１０へ送信する。
回収指示を受信した地域端末１０はその内容を表示し、集配担当者は集配車９により現金管理装置１の店舗へ行って回収すべき金種を回収する（回収の作動は後述する。）。
【００７０】
ＳＣ１３、回収指示を送信した中央情報処理装置６は、受信したニアフル情報に回収すべき金種等を添付したニアフル処理情報を建物コード、現金管理装置号機コードを基に企業情報データベース６ａに格納してステップＳＣ１へ戻り、情報の着信を待って待機する。
ＳＣ１４、締め情報を受信した中央情報処理装置６は、受信した建物コードを基に企業情報データベース６ａのその建物コードの前回締め処理から今回締め処理までの入金情報と出金情報、売上高情報を全て抽出し、売上高情報を基にその店舗の売上高を集計し、入金情報の金種毎の枚数を基に入金された金種毎の枚数を集計し、これに従業員コード別の売上高とその金種毎の枚数、この間に実行された入金処理と出金処理の履歴および締め情報を受信した日時等から構成される現金移動情報を作成してこれを送信元の現金管理装置１（図６のステップＳＢ５）へ送信する。
【００７１】
ＳＣ１５、中央情報処理装置は現金管理装置１（図６のステップＳＢ６）からの確認通知の受信を待って待機し、確認通知を受信したことによって売上高等が確認されたことを認識する。
ＳＣ１６、中央情報処理装置１は、締め情報の建物コードまたはＩＤカード情報の企業コードを参照して契約した店舗を特定し、これを基に企業情報データベース６ａに格納されている口座情報ファイルを検索して該当する店舗の売上金口座情報を抽出し、その銀行８の売上金口座に確認された売上高を振込む。
【００７２】
売上高口座への振込を受付けた銀行８は、売上高が振込まれた旨を口座の開設者である店舗へ通知する。
ＳＣ１７、売上高の振込を終えた中央情報処理装置６は、入金情報を基に現金管理装置１に入金された金額を集計し、この入金額から売上高を減じて釣銭金額を算出し、この釣銭金額を釣銭口座に振込む。
【００７３】
ＳＣ１８、釣銭金額の振込を終えた中央情報処理装置６は、受信した締め情報に作成した現金移動情報および売上高を振込んだ日時とその売上金口座情報と振込額、並びに釣銭金額を振込んだ日時とその振込額等を添付した締切処理情報を建物コード、現金管理装置号機コードを基に企業情報データベース６ａに格納してステップＳＣ１へ戻り、情報の着信を待って待機する。
【００７４】
このようにして、店舗の売上高や釣銭金額がそれぞれ振込まれるが、この入金は統括管理会社の立替払いとなっているので実際の現金が収納されている現金管理装置１からその現金を回収する必要がある。
このため、統括管理会社は地域管理センタによって上記のニアフル情報やニアエンド情報による突発的な回収や補充の他に、現金管理装置１の現金の回収や補充を定期的に行っている。
【００７５】
現金管理装置１の現金の回収や補充を定期的に行う場合は、地域管理センタから集配担当者が集配車９によって現金の回収後に装着する空の紙幣金庫カセットや硬貨金庫カセットおよび補充のための現金とを持参して該当する店舗を巡回し、以下のように行う。
現金管理装置１の現金を回収する場合は、集配担当者は入力部１５の操作キー１５ａから回収処理を選択してその操作キー１５ａを押下し、これを検知した主制御部１１は上記出金処理のステップＳ２と同様にしてＩＤカードの挿入を促し、集配担当者が持参したＩＤカードをカードリーダ１４に挿入すると、これを受付けてＩＤカード情報を読取り、上記出金処理のステップＳ３と同様にしてＩＤカードが正当であり、ＩＤカードコードにより回収を許可されている有資格者であること確認する。
【００７６】
ＩＤカードの正当性等を確認した主制御部１１は、紙幣釣銭収納庫２４の紙幣を紙幣金庫２５に搬送して収納し、その後に電子錠等を開錠して回収扉３８を開錠可能とする。
集配担当者は所持する鍵等で回収扉を開錠し、紙幣金庫２５や硬貨金庫３７に装着されている紙幣金庫カセットや硬貨金庫カセットを取出し、持参した空の紙幣金庫カセットや硬貨金庫カセットを装着して回収扉３８を施錠する。
【００７７】
これを検知した主制御部１１は、回収扉３８の電子錠等を施錠し、上記出金処理のステップＳ８と同様にして回収処理内容を伝票に印刷して発行し、集配担当者の受取を確認して回収処理を終了させる。
なお、上記の回収処理においては、紙幣金庫カセットと紙幣釣銭収納庫２４を別に設けた場合について説明したが、これらを統合して紙幣金庫カセットと兼用にするようにしてもよい。これにより回収処理の効率化を図ることができると共に現金管理装置１の簡素化を図ることができる。
【００７８】
このようにして空になった紙幣釣銭収納庫２４および現金金庫へ回収されたために保管基準額に達していない硬貨釣銭収納庫３５に現金を補充する場合は、集配担当者は入力部１５の操作キー１５ａから補充処理を選択してその操作キー１５ａを押下し、上記と同様にして主制御部１１がＩＤカードの正当性等を確認した後に、主制御部１１は上記入金処理のステップＳＡ４と同様にして現金入金口を開放し、集配担当者は持参した補充のための現金を現金入金口へ投入する。
【００７９】
その後、上記入金処理のステップＳＡ５と同様にして現金が計数されてその計数結果が表示され、計数結果が集配担当者により確定されると主制御部１１は入金処理のステップＳＡ１１と同様にして一時保留部に一時保留されている現金を釣銭収納庫へ収納し、上記出金処理のステップＳ８と同様にして補充処理内容を伝票に印刷して発行し、集配担当者の受取りを確認して補充処理を終了させる。
【００８０】
なお、ニアフル情報による回収は、上記の回収処理と同様であるが、回収する現金はニアフルとなった金種またはその金種を含む現金金庫カセットのみを回収するようにする。
また、ニアエンド情報による補充は、上記の補充処理と同様であるが、補充する現金はニアエンドとなった金種のみを補充するようにする。
【００８１】
上記の回収処理により回収された現金は、集配車９により地域管理センタへ輸送され、回収された現金から売上高に相当する現金が立替払いとなっている現金に充当され、売上高を差し引いた残りの現金は釣銭の両替のために回収されたとして釣銭金額に充当される。
更に、店舗が設定した釣銭金種の保管基準額の変更は、店舗の要請によって行うことが可能であり、当初の預託金の額を変更して保管基準額の増額または減額を受付けるようにする。
【００８２】
以上説明したように、本実施の形態では、営業活動によりレジスタに収納された全ての現金が現金入金口へ投入されたときに、釣銭収納庫へは釣銭金種別に保管限度額の現金を収納し、それを超えた現金は現金金庫へ収納するようにしたことによって、釣銭を循環使用することができ、店舗の営業に必要な釣銭準備金を確実に確保することができると共に、手作業により行っていた店員や店長の業務をなくしてその負担を軽減することができ、店舗における現金管理の効率化を図ることができる。
【００８３】
また、現金入金口に投入された現金を一旦釣銭収納庫に収納し、保管基準額を残した余剰金を現金金庫に収納するようにしたことによって、釣銭引当金を適正に管理することができる。
更に、センタに設置した中央情報処理装置を設けて現金管理装置から送信される入金情報や出金情報を基に、店舗の売上高を売上高口座に振込むと共に釣銭金額を釣銭口座に振込んで釣銭を管理するようにしたことによって、釣銭準備金を確実に供給することが可能になると共に、店舗における事務効率を向上させることができる。
【００８４】
更に、釣銭収納庫へ現金を補充するときに、釣銭口座から補充額を引落し、これを釣銭金種に両替して現金管理装置に供給するようにしたことによって、常に釣銭準備金を確実に供給することが可能になる。
更に、釣銭収納庫へ現金を回収するときに、紙幣は全て回収し、硬貨は硬貨金庫に収納された硬貨のみを回収するようにしたことによって、高額となる紙幣を再確認して現金管理の確実性を高めることができると共に、運搬する硬貨の重量を軽減することができる。
【００８５】
更に、締め入金の入金処理において、売上高の入力後に直ぐに入金情報を中央情報処理装置へ送信するようにしたことによって、その後の現金の収納等の過程で万一ジャム等の障害や通信障害等が発生した場合においても入金情報を確実に中央情報処理装置へ送信することができる。
なお、本実施の形態においては、統括管理会社が１台の現金管理装置が設置されている店舗と契約している場合を例に説明したが、複数の現金管理装置を設置している店舗と契約した場合も同様である。この場合に締め処理は複数の現金管理装置の１台を用いて行うようにしてもよく、管理端末を用いて行うようにしてもよい。
【００８６】
また、複数の店舗をチェーン展開している企業等と契約した場合も同様である。この場合に各店舗の売上高は各店舗の売上金口座または企業の本社の売上金口座に店舗名を付して振込むようにする。
更に、上記の回収処理において、硬貨釣銭収納庫の硬貨を残して回収するとして説明したが、現金管理装置に収納されている紙幣と硬貨の全てを回収して、新たに釣銭収納庫に釣銭金種の現金を補充するようにしてもよい。これにより補充のために準備する現金を補充の度に確認する手間を省略して補充の準備の簡素化を図ることができる。
【００８７】
更に、回収処理において、紙幣釣銭収納庫の紙幣を全て回収するとして説明したが、紙幣釣銭収納庫の紙幣を回収せずに硬貨釣銭収納庫と同様に保管基準額に達していない金種の紙幣を補充するようにしてもよい。
更に、上記の入金処理や補充処理において、投入された現金を一旦釣銭収納庫に収納した後に現金金庫へ収納するとして説明したが、一時保留されている現金を釣銭収納庫と現金金庫に分けて搬送することができる構成として釣銭収納庫の金種毎の保管基準額に達するまでは釣銭収納庫へ搬送して金種別に収納し、それを超えた金種の現金は現金金庫へ搬送して収納するようにしてもよい。これにより現金管理装置の稼動効率を向上させることができる。
【００８８】
【発明の効果】
以上述べたように、本発明は、レジスタから回収された現金が現金入金口へ投入されたときに、釣銭収納庫へは釣銭金種毎に保管基準額の現金を収納し、現金金庫へは保管基準額を超えた現金収納するようにしたことによって、釣銭を循環使用することができ、店舗の営業に必要な釣銭準備金を確実に確保することができると共に、手作業により行っていた店員や店長の業務をなくしてその負担を軽減することができるという効果が得られる。
【００８９】
また、センタに設置した中央情報処理装置を設けて現金管理装置から送信される入金情報や出金情報を基に、店舗の売上高を売上高口座に振込むと共に釣銭金額を釣銭口座に振込んで釣銭を管理するようにしたことによって、釣銭準備金を確実に供給することができるという効果が得られる。
【図面の簡単な説明】
【図１】実施の形態の現金管理装置を示すブロック図
【図２】実施の形態のシステム構成を示す説明図
【図３】実施の形態の現金管理装置の外観を示す斜視図
【図４】実施の形態の出金処理を示すフローチャート
【図５】実施の形態の入金処理を示すフローチャート
【図６】実施の形態の締め処理を示すフローチャート
【図７】実施の形態の中央情報処理装置の業務処理を示すフローチャート
【符号の説明】
１    現金管理装置
２    レジスタ
３    管理端末
４    監視センサ
５    通信回線
６    中央情報処理装置
６ａ  企業情報データベース
７    警備情報処理装置
８    銀行
９    集配車
１０  地域端末
１１  主制御部
１２  記憶部
１３  表示部
１４  カードリーダ
１５  入力部
１５ａ  操作キー
１５ｂ  テンキー
１６  伝票印刷部
２０  紙幣取扱部
２１  紙幣入出金口
２１ａ  紙幣シャッタ
２２  紙幣鑑別部
２３  紙幣一時保留部
２４  紙幣釣銭収納庫
２５  紙幣金庫
３０  硬貨取扱部
３１  硬貨入金口
３１ａ  硬貨シャッタ
３２  硬貨鑑別部
３３  硬貨リジェクト口
３４  硬貨一時保留部
３５  硬貨釣銭収納庫
３６  硬貨出金口
３７  硬貨金庫
３８  回収扉
【図１】
2005038062.tif 000004
【図２】
2005038062.tif 000005
【図３】
2005038062.tif 000006
【図４】
2005038062.tif 000007
【図５】
2005038062.tif 000008
【図６】
2005038062.tif 000009
【図７】
2005038062.tif 000010